(57)【要約】【課題】製氷時には第１製氷室に空気が侵入しないように上下側容器を気密に結合でき、製氷後は第１製氷室内に結氷された球形氷が短時間に取り出すことが可能な透明な球形氷製造容器を実現する。【解決手段】空気層５１を有するカップ体５ａ内の上部に、下側容器４と上側容器３の組合せからなる第１製氷室Ｗ１を配置し、該第１製氷室Ｗ１の下方、該空気層５１で囲まれる位置に第２製氷室Ｗ２を形成し、前記下側容器４の上端内周には凹部４１を、上端側面には外周にネジ４６を設けた口筒部４５を設け、上側容器３には、フランジ４４の角部で下方に押圧したとき内側容器３の係止片３２を持上げる係合解除体３ａを一体に設け、口筒部４５には押え蓋２を螺合させて嵌着する。【選択図】      図２
2004183931.tif 000002
【特許請求の範囲】
【請求項１】
有底円筒状の外カップ（６）の内側側壁と底面に、間隙を介して有底円筒状の内カップ（５）を配置して空気層（５１）を形成し、該内カップ（５）の上端に外鍔部（５４）を介して上部に外筒部（５３）を立設したカップ体（５ａ）と、該カップ体（５ａ）内の上部には、内部を半球形に形成し、底部に複数の連通孔（４ａ）を設けた下側容器（４）と、内部を半球形に形成し、頂部に空気穴（３１）を設けた上側容器（３）との組合せからなる、球形氷を製氷する第１製氷室（Ｗ１）を配置し、該第１製氷室（Ｗ１）の下方で該空気層（５１）で囲まれる位置に第２製氷室（Ｗ２）を形成する球形氷製造容器において、
前記下側容器（４）は外周にネジ（４６）を設けた口筒部（４５）を有し、前記上側容器（３）は押圧させて係止片（３２）を引上げる係合解除体（３ａ）を有し、該口筒部（４５）に押え蓋（２）を螺合することを特徴とする透明な球形氷製造容器。
【請求項２】
下側容器（４）は、上端内周には凹部（４１）を設け、上端外周面には外鍔部（５４）に載置される載置部（４２）を設け、該載置部（４２）の外端部に外筒部（５３）の内側に内装される内筒（４３）を連設し、さらにその上端にフランジ（４４）を介して外周にネジ（４６）を設けた口筒部（４５）を立設したことを特徴とする請求項１に記載の透明な球形氷製造容器。
【請求項３】
上側容器（３）は、下端に凹部（４１）に嵌着可能な係止片（３２）を周設し、下端外側面には載置部（４２）上に載置される突片（３４）を介して、フランジ（４４）の角部（４７）をテーパー面（３５）に沿って押圧させて係止片（３２）を引上げる、上端に支持片（３６）を設けた係合解除体（３ａ）を配置したことを特徴とする請求項１又は２に記載の透明な球形氷製造容器。
【請求項４】
上側容器（３）の空気穴（３１）に対応する小穴（２２）を設け、閉蓋時支持片（３６）に当接可能な天板（２５）を形成した、螺子筒（２１）を有する押え蓋（２）を口筒部（４５）に螺合することを特徴とする請求項１、２又は３に記載の透明な球形氷製造容器。
【請求項５】
有底円筒状の外カップ（６）の内側側壁と底面に、間隙を介して有底円筒状の内カップ（５）を配置して空気層（５１）を形成したカップ体（５ａ）と、該カップ体（５ａ）内の上部には、内部を半球形に形成し、底部に複数の連通孔（４ａ）を設けた下側容器（４）と、内部を半球形に形成し、頂部に空気穴（３１）を設けた上側容器（３）との組合せからなる、球形氷を製氷する第１製氷室（Ｗ１）を配置し、該第１製氷室（Ｗ１）の下方で該空気層（５１）位置付近に第２製氷室（Ｗ２）を形成する球形氷製造容器において、
前記カップ体（５ａ）は、外カップ（６）の上端に上側容器（３）の頂部よりやや高い外筒（５６）を延設し、内カップ（５）の内壁上部には凹部（５５）を設け、
前記下側容器（４）には、上端内周に凹部（４１）を設け、下部には凹部（５６）に嵌着する円筒状台座（４８）を設け、外側面には外鍔部（５４）に載置される載置部（４２）を介して外周面にネジ（４３）を設けた口筒部（４５）を立設し、
前記上側容器（３）には、下端に凹部（４１）に嵌着する係止片（３２）を設け、外側面には載置部（４２）に上載する載置部（３４ａ）を介して、口筒部（４５）の上部を断面コ字状に囲みネジ（４３）に螺合するネジ（３９）を内壁面に設けた蓋部（３７）を設け、該蓋部（３７）の上端に回転部（３８）を設けたことを特徴とする透明な球形氷製造容器。
【発明の詳細な説明】
【０００１】
【発明の属する技術分野】
本発明は、一般の家庭で使用されている家庭用冷蔵庫の冷凍室や業務用冷蔵庫の冷凍室に一定時間収容して製氷可能な気泡のない透明な球形氷製造容器に関するものである。
【０００２】
【従来の技術】
非特許文献１の球形氷の製造容器は、図９、図１０のように、有底円筒状の外カップ６の内側側壁と底面に間隙を介して有底円筒状の内カップ５を配置して形成される空気層５１を備えたカップ体５ａと、該カップ体５ａ内の上部に、内部を半球形に形成し、底部に複数の連通孔４ａを設けた下側容器４と、同じく内部を半球形に形成し、頂部中心に空気穴３１を設けた上側容器３との組合せからなる、球形氷を製氷する第１製氷室Ｗ１を配置し、該第１製氷室Ｗ１の下方で該空気層５１位置付近に第２製氷室Ｗ２を形成し、上下側容器３、４の連結部ｂは、第１製氷室Ｗ１における水の結氷の際の膨張に耐えることができるようにすること、該製氷室Ｗ１に空気が侵入しないようにするためにアンダカットに形成して気密性を保持している。
製氷後において第１製氷室Ｗ１内の球形氷Ｋを取出す場合は、上側容器３のハネａを一定角度回動してロックを解除させた後、該ハネａを持って上側容器３を持上げて外し、球形氷Ｋを取り出すものである。この場合、第２製氷室Ｗ２には気泡を含んだ捨て氷が結氷される。
次に、特許文献１は、上蓋と製氷内皿で形成される、透明氷を製氷する第１製氷室と、該第１製氷室の下側には断熱材と空気層を配置した第２製氷室を形成し、連通孔を通して第２製氷室に空気を押出し、第２製氷室で気泡を含んだ捨て氷を造る製造容器である。
【０００３】
【非特許文献１】
ＳＵＮＴＯＲＹ  ＷＨＩＳＫＹ  善／透明まんまる氷製造容器Ｑ＆Ａ、［平成１４年１１月１日検索］、インターネット＜ＵＲＬ：ｈｔｔｐ：／／ｗｗｗ．ｓｕｎｔｏｒｙ．ｃｏ．ｊｐ／ｗｈｉｓｋｙ／ｚｅｎ／ｓａｉｊｉｋｉ／ｍａｎｍａｒｕ／ｑａｎｄａ２／ｑ＿６ｈ＿ｅｊｅｃｔ．ｈｔｍｌ＞
【特許文献１】
特開２００２−１５６１７３号公報（第２頁、図１、３）
【０００４】
【発明が解決しようとする課題】
上記、従来技術の非特許文献１は、上側容器３と下側容器４の連結部ｂはアンダカット結合とし、球形氷が固体化して膨張する際に上下側容器３、４から空気が入らないように緊密に嵌合する構成としている。ところが、製氷後に球形氷を取出す場合は、上側容器３と下側容器４の連結部ｂはアンダカットで気密に組み付いていること、連結部の隙間に侵入した水が凍結すること等のため分離が困難となる。分離が困難となることにより、何度も水を懸けたり、数分間放置したりするため、手間と時間を要すると共に、かなりの力を要するという問題点がある。
本発明は、上述した問題点に鑑みて創案されたもので、製氷時には第１製氷室に空気が侵入しないように上下側容器を気密に結合でき、製氷後は第１製氷室内に結氷された球形氷が短時間に取り出すことが可能な、透明な球形氷製造容器の提供を目的とする。
【０００５】
【課題を解決するための手段】
上記、従来技術の課題を解決するための手投として、請求項１の発明に係る透明な球形氷製造容器は、
有底円筒状の外カップの内側側壁と底面に、間隙を介して有底円筒状の内カップを配置して空気層を形成し、該内カップの上端に外鍔部を介して上部に外筒部を立設したカップ体と、該カップ体内の上部には、内部を半球形に形成し、底部に複数の連通孔を設けた下側容器と、内部を半球形に形成し、頂部に空気穴を設けた上側容器との組合せからなる、球形氷を製氷する第１製氷室を配置し、該第１製氷室の下方で該空気層で囲まれる位置に第２製氷室を形成する球形氷製造容器において、
前記下側容器は外周にネジを設けた口筒部を有し、前記上側容器は押圧させて係止片を引上げる係合解除体を有し、該口筒部に押え蓋を螺合することを特徴としている。
【０００６】
請求項２に係る発明は、請求項１に記載の、下側容器は、上端内周には凹部を設け、上端外周面には外鍔部に載置される載置部を設け、該載置部の外端部に外筒部の内側に内装される内筒を連設し、さらにその上端にフランジを介して外周にネジを設けた口筒部を立設したことを特徴としている。
請求項３に係る発明は、請求項１又は２に記載の、上側容器は、下端に凹部に嵌着可能な係止片を周設し、下端外側面には載置部上に載置される突片を介して、フランジの角部をテーパー面に沿って押圧させて係止片を引上げる、上端に支持片を設けた係合解除体を配置したことを特徴としている。
【０００７】
請求項４に係る発明は、請求項１、又は３に記載の、上側容器の空気穴に対応する小穴を設け、閉蓋時支持片に当接可能な天板を形成した、螺子筒を有する押え蓋を口筒部に螺合することを特徴としている。
【０００８】
通常の冷凍庫の冷凍室においては冷気は上から送り込まれ、結氷は上から下へ順次進行して行く。製造容器をセット後冷凍庫に入れると、空気層の作用により冷凍庫の冷気は第２製氷室へ直接送りこまれない構造である。従って、結氷は第１製氷室の上部より開始し、順次下方へと進行して行く。結氷の際に水は体積が膨張し、水中の気泡は結氷に伴って連通孔を通過して第２製氷室に押し出され、最終的には第２製氷室のほぼ中央で気泡を含んだ水が結氷する。
【０００９】
また、請求項５に係る発明の透明な球形氷製造容器は、
有底円筒状の外カップの内側側壁と底面に、間隙を介して有底円筒状の内カップを配置して空気層を形成したカップ体と、該カップ体内の上部には、内部を半球形に形成し、底部に複数の連通孔を設けた下側容器と、内部を半球形に形成し、頂部に空気穴を設けた上側容器との組合せからなる、球形氷を製氷する第１製氷室を配置し、該第１製氷室の下方で該空気層位置付近に第２製氷室を形成する球形氷製造容器において、
前記カップ体は、外カップの上端に上側容器の頂部よりやや高い外筒を延設し、内カップの内壁上部には凹部を設け、
前記下側容器には、上端内周に凹部を設け、下部には凹部に嵌着する円筒状台座を設け、外側面には外鍔部に載置される載置部を介して外周面にネジを設けた口筒部を立設し、
前記上側容器には、下端に凹部に嵌着する係止片を設け、外側面には載置部に上載する載置部を介して、口筒部の上部を断面コ字状に囲みネジに螺合するネジを内壁面に設けた蓋部を設け、該蓋部の上端に回転部を設けたことを特徴としている。
請求項５の製氷工程は請求項１の場合と同様である。
【００１０】
【発明の実施の形態】
図１から図８は本発明に関するもので、第１実施例を図１〜図５により説明する。
第１実施例の製造容器１は合成樹脂で製作され、カップ体５ａと、このカップ体５ａ内部に組み付けられて透明の球形氷を製氷する第１製氷室Ｗ１を形成する上下側容器３、４と、押え蓋２とから概略構成されている。
カップ体５ａは、有底円筒状の外カップ６の内側側壁と底面に、所定隙間を介して有底円筒状の内カップ５を配置して空気層５１が形成されている。
また、該内カップ５の上端には、外鍔部５４を介して上部に、例えば外カップ６とほぼ同径の外筒部５３が立設され、該外鍔部５４の外端下面には係止片５２を垂下設して、内カップ５の胴部部分に外カップ６が外嵌可能にされている。
カップ体５ａ内の上部には、内部を半球形に形成し、底部には第１製氷室Ｗ１内で製氷される球形氷が固体化して膨張して行く際の水の脱げ路となる複数の連通孔４ａを設けた下側容器４と、内部を半球形に形成し、頂部には空気抜きと第１製氷室Ｗ１内の余分な水の押出しを行う空気穴３１を設けた上側容器３との組合せからなる、球形氷を製氷する第１製氷室Ｗ１を配置し、該第１製氷室Ｗ１の下方で該空気層５１で囲まれる位置に第２製氷室Ｗ２を形成する球形氷製造容器に関するものである。
下側容器４は、上端内周には凹部４１を、上端外周面には外鍔部５４に載置される載置部４２を設け、該載置部４２の外端部に外筒部５３の内側に内装される内筒部４３が連設されている。さらに、その上端にはフランジ４４を介して外周にネジ４６を刻設した口筒部４５が立設されている。
上側容器３は、下端内周に凹部４１に嵌着可能な係止片３２を周設し、下端外側面には載置部４２上に載置される突片３４を介して、フランジ４４の角部４７をテーパー面３５に沿って押圧させて係止片３２を引上げる、上端に支持片３６を設けた係合解除体３ａが配置されている。
また、押え蓋２は、上側容器３の空気穴３１に対応する小穴２２を設け、さらに閉蓋時支持片３６に当接可能な天板２５を形成した螺子筒２１を有し、この押え蓋２は内筒部４５に密に嵌着可能に構成されている。
上側容器３の頂部上面に該空気穴３１を囲む円形凸部３３を設けた場合は、円形凸部３３に嵌着可能な円形凹部２３を設けてもよい。
【００１１】
第１実施例における製造容器１で製氷を行う場合は、カップ体５ａの上部所定位置に下側容器４をセットした後、カップ体５ａ内に水を一杯収容する。その後、下側容器４の凹部４１に上側容器３の係止片３２を嵌着させて下側容器４に上側容器３を密に嵌着させる。次に、上側容器３の円形凸部３３に円形凹部２３を嵌め空気穴３１に小穴２２を配置し、天板２５に支持片３６を当接させた状態で押え蓋２を口筒部４５に螺合させて閉蓋する。
製氷工程は、製造容器１を冷蔵庫の冷凍庫内に収納すると、空気層５１の作用により、冷凍庫内の冷気は第１製氷室Ｗ１へ流れ、結氷は第１製氷室Ｗ１の上部より開始し、順次下方へと進行してゆく。結氷の際に水は体積が膨張し、水中の気泡は結氷に伴って連通孔４ａを通過して第２製氷室Ｗ２に押し出され、最終的には第２製氷室Ｗ２のほぼ中央で気泡を含んだ水が白濁した状態で結氷する。そして、第１製氷室Ｗ１には気泡Ｃのない透明な球形氷が造られ、第２製氷室Ｗ２には気泡を含んだ捨て氷が造られる（図９参照）。
【００１２】
他方、製氷後の球形氷を第１製氷室Ｗ１から取出す場合は、蓋２を逆転してネジ結合を解除させて取外した後、図５のように、内筒部４３を押圧してフランジ４４の角部４７でテーパー面３５を下方までスライドさせると、上側容器３の係止片３２は引上げられて下側容器４の凹部４１から外れる。その後、上側容器３をキャップ体５ａ内から取り出し、第１製氷室Ｗ１内で製氷された球形氷を下側容器４から取出す。
【００１３】
次に、本発明の第２実施例を図６〜図８により説明する。
第２実施例の発明の製造容器１は合成樹脂製のカップ体５ａとこの内部に配置される螺子結合で結合する合成樹脂製の上下側容器３、４、とから構成されている。
この製造容器１は、有底円筒状の外カップ６の内側側壁と底面に、間隙を介して有底円筒状の内カップ５を配置して空気層５１を形成したカップ体５ａと、該カップ体５ａ内の上部には、内部を半球形に形成し、底部に複数の連通孔４ａを設けた下側容器４と、内部を半球形に形成し、頂部に空気穴３１を設けた上側容器３との組合せからなる、球形氷を製氷する第１製氷室Ｗ１を配置し、該第１製氷室Ｗ１の下方で該空気層５１位置付近に第２製氷室Ｗ２を形成するものである。
カップ体５ａは、外カップ６の上端に上側容器３の頂部よりやや高い外筒５６を延設し、内カップ５の内壁上部には凹部５５が設けられている。
下側容器４は、上端内周に凹部４１を、下部には凹部５５に嵌着する円筒状台座４８を設け、外側面には外鍔部５４に載置される載置部４２を介して外周面にネジ４３を設けた口筒部４５が立設されている。
台座４８の外周面にはローレット４９が刻設され、このローレット４９は上側容器３をねじ込むときの空回りを防止するものである。
上側容器３は、下端に凹部４１に嵌着可能な係止片３２を設け、外側面には載置部４２に上載する載置部３４ａを介して、口筒部４５の上部を断面コ字状に囲みネジ４３に螺合するネジ３９を内壁面に設けた蓋部３７が形成されている。また、蓋部３７の上端には、外周面にローレット３８ａを刻設した回転部３８が一体に設けられている。
図８におけるＳ１の矢印方向は上側容器３の回転部３８の回転方向を示し、Ｓ２の矢印方向は下側容器４の台座４８の回転方向を示している。
【００１４】
第２実施例の製造容器で製氷する場合は、カップ体５ａ内の上部に下側容器４をセットし、該カップ体５ａ内に水を一杯収容する。水が一杯になった後上側容器３上端の回転部３８を持って回転し、口筒部４５のネジ４３を蓋部３７の螺子３９に螺合させて締め付ける。
第２実施例による透明な球形氷の製氷工程は第１実施例の場合と同様であるので省略する。第２実施例の場合も第１製氷室Ｗ１には気泡Ｃのない透明な球形氷が製氷され、第２製氷室Ｗ２には気泡を含んだ捨て氷が造られる。
他方、第１製氷室Ｗ１から製氷した球形氷を取出す場合は、回転部３８を持って回転し螺合を解除させた後、上側容器３を上方に引っ張り上げて上側容器３を取り出し、下側容器４内から球形氷を取出す。
【００１５】
【発明の効果】
上記構成の本発明によれば、以下の効果を奏するものである。
本発明の請求項１、２により、第１製氷室を構成する上側容器と下側容器は気密に嵌合できるため、第１製氷室での結氷の際の膨張に耐えることができ、製氷時第１製氷室には空気が浸入し球形氷に気泡ができない。従って、第１製氷室内には気泡を含まない透明な球形氷を製造することが出来る。他方、製氷後第１製氷室から球形氷を取出す際には、上側容器と下側容器の分離が容易に出来るため、透明な球形氷は短時間に取出すことが出来る。
本発明の請求項３により、係合解除体を両側から押圧することにより、上側容器は下側容器から容易に取外すことができる。従って、上側容器と下側容器の分離が容易に出来るため、透明な球形氷は短時間に取出すことが出来る。
本発明の請求項４により、押え蓋を口筒部に螺合することにより、閉蓋時においては天板に支持片が当接して上側容器と下側容器は気密状態に連結できる。また、上側容器と下側容器の分離が容易に出来るため、透明な球形氷は短時間に取出すことが出来る。
本発明の請求項５により、上側容器と下側容器は螺子螺合され気密状態に連結できる。他方、製氷後第１製氷室から球形氷を取出す際には、上側容器と下側容器の分離が容易に出来るため、透明な球形氷は短時間に取出すことが出来る。
【図面の簡単な説明】
【図１】本発明の第１実施例の平面図である。
【図２】本発明の第１実施例のＡ―Ａ断面図である。
【図３】本発明の第１実施例の分解斜視図である。
【図４】本発明の第１実施例の押え蓋と上側容器の中央縦断面図である。
【図５】本発明の第１実施例の上側容器分離時の中央縦断面図である。
【図６】本発明の第２実施例の分解斜視図である。
【図７】本発明の第２実施例の中央縦断面図である。
【図８】本発明の第２実施例の上下側容器の一部断面図である。
【図９】従来例の製造容器の中央縦断面図である。
【図１０】従来例の製造容器の平面図である。
【符号の説明】
１    製造容器
２    押え蓋
２１    螺子筒
２２    小穴
２３    円形凹部
２４    ネジ
２５    天板
３    上側容器
３ａ    係合解除体
３１    空気穴
３２    係止片
３３    円形凸部
３４    突片
３４ａ  載置部
３５    テーパー面
３６    支持片
３７    蓋部
３８    回転部
３８ａ    ローレット
３９    ネジ
４    下側容器
４ａ    連通孔
４１    凹部
４２    載置部
４３    内筒部
４４    フランジ
４５    口筒部
４５ａ    ネジ
４６    ネジ
４７    角部
４８    台座
４９    ローレット
５ａ    カップ体
５    内カップ
５１    空気層
５２    係止片
５３    外筒部
５４    外鍔部
５５    凹部
５６    外筒
６    外カップ
Ｗ１  第１製氷室
Ｗ２  第２製氷室
Ｋ    球形氷
Ｃ    気泡
【図１】
2004183931.tif 000003
【図２】
2004183931.tif 000004
【図３】
2004183931.tif 000005
【図４】
2004183931.tif 000006
【図５】
2004183931.tif 000007
【図６】
2004183931.tif 000008
【図７】
2004183931.tif 000009
【図８】
2004183931.tif 000010
【図９】
2004183931.tif 000011
【図１０】
2004183931.tif 000012